(57)【要約】【課題】記録用紙収納体からシート状の記録用紙を多数回、取り出しと密封を繰り返してもシート状の記録用紙が貼り付くことない記録用紙収納体を提供する。【解決手段】シート状の記録用紙を収納するため一部に開口部を形成した収納袋と、該収納袋の開口部の一端には、該開口部の外側より折り曲げて前記開口部を閉じる閉蓋部を有し、該閉蓋部は折り曲げてその一部が該収納袋に密着することにより該閉蓋部を閉じるように構成した収納袋からなる記録用紙収納体において、該記録用紙収納体と密着することにより該閉蓋部を閉じる部位に両面接着テープが貼り付けられ、該収納袋と該閉蓋部の該両面接着テープにより密着する部分は異なる材料からなり、かつ、該両面接着テープと該閉蓋部とが密着する面の接着力が、該両面接着テープと該収納袋とが密着する面の接着力より弱いことを特徴とする記録用紙収納体。【選択図】図１
2007126198.tif 000002
【特許請求の範囲】
【請求項１】
シート状の記録用紙を収納するため一部に開口部を形成した収納袋と、該収納袋の開口部の一端には、該開口部の外側より折り曲げて前記開口部を閉じる閉蓋部を有し、該閉蓋部は折り曲げてその一部が該収納袋に密着することにより該閉蓋部を閉じるように構成した収納袋からなる記録用紙収納体において、該記録用紙収納体と密着することにより該閉蓋部を閉じる部位に両面接着テープが貼り付けられ、該収納袋と該閉蓋部の該両面接着テープにより密着する部分は異なる材料からなり、かつ、該両面接着テープと該閉蓋部とが密着する面の接着力が、該両面接着テープと該収納袋とが密着する面の接着力より弱いことを特徴とする記録用紙収納体。
【請求項２】
前記収納袋の両面テープ密着面がポリプロピレン、前記閉蓋部の両面テープ密着面が低密度ポリエチレンで構成されていることを特徴とする請求項１記載の記録用紙収納体。
【請求項３】
低密度ポリエチレンが、直鎖型低密度ポリエチレンであることを特徴とする請求項２記載の記録用紙収納体。
【請求項４】
収納袋が溶断製袋機で加工した袋であることを特徴とする請求項１〜３のいずれか１項記載の記録用紙収納体。
【請求項５】
記録用紙がインクジェット記録用紙であることを特徴とする請求項１〜４のいずれか１項記載の記録用紙収納体。
【発明の詳細な説明】
【技術分野】
【０００１】
本発明は、記録用紙収納体に関し、さらに詳しくは、シート状の記録用紙の収納体に関する。
【背景技術】
【０００２】
シート状の記録用紙、例えばインクジェット記録シートは、通常、収納袋で保管されるため、再接着可能な両面テープで閉蓋部が固定されたポリプロピレン製の袋に収納されて販売されている。
【０００３】
従来は閉蓋部内面に両面テープを取り付けて収納袋に接着させていたが、袋の閉蓋部内面に両面テープがあると、取り出し時に記録シートが貼りついて使えなくなってしまう不具合が発生したため、現在、両面テープは収納袋に取り付けられて（例えば、特許文献１参照。）いる。この際、両面テープの接着剤が閉蓋部に転写するのを防止するために、収納袋側より閉蓋部側の接着力を弱めた両面テープを使用しているが、それでも開封時に開蓋部への接着剤が転写があり、取り出し時にシート状の記録用紙が貼り付く不具合の発生がある。最悪の場合、両面テープが開蓋部に取られて剥がれてしまい、記録シート貼り付いてしまうばかりでなく、開蓋部が止められなくなってしまう場合もあり、問題になっている。
【特許文献１】特開平９−２９０８６６号公報  （特許請求の範囲、第３〜６頁）
【発明の開示】
【発明が解決しようとする課題】
【０００４】
本発明の目的は、記録用紙収納体からシート状の記録用紙を多数回、取り出しと密封を繰り返してもシート状の記録用紙が貼り付くことない記録用紙収納体を提供することにある。
【課題を解決するための手段】
【０００５】
本発明の上記目的は、以下の構成により達成することができる。
【０００６】
１．シート状の記録用紙を収納するため一部に開口部を形成した収納袋と、該収納袋の開口部の一端には、該開口部の外側より折り曲げて前記開口部を閉じる閉蓋部を有し、該閉蓋部は折り曲げてその一部が該収納袋に密着することにより該閉蓋部を閉じるように構成した収納袋からなる記録用紙収納体において、該記録用紙収納体と密着することにより該閉蓋部を閉じる部位に両面接着テープが貼り付けられ、該収納袋と該閉蓋部の該両面接着テープにより密着する部分は異なる材料からなり、かつ、該両面接着テープと該閉蓋部とが密着する面の接着力が、該両面接着テープと該収納袋とが密着する面の接着力より弱いことを特徴とする記録用紙収納体。
【０００７】
２．前記収納袋の両面テープ密着面がポリプロピレン、前記閉蓋部の両面テープ密着面が低密度ポリエチレンで構成されていることを特徴とする前記１記載の記録用紙収納体。
【０００８】
３．低密度ポリエチレンが、直鎖型低密度ポリエチレンであることを特徴とする前記２記載の記録用紙収納体。
【０００９】
４．収納袋が溶断製袋機で加工した袋であることを特徴とする前記１〜３のいずれか１項記載の記録用紙収納体。
【００１０】
５．記録用紙がインクジェット記録用紙であることを特徴とする前記１〜４のいずれか１項記載の記録用紙収納体。
【発明の効果】
【００１１】
本発明により、記録用紙収納体からシート状の記録用紙を多数回、取り出しと密封を繰り返してもシート状の記録用紙が貼り付くことない記録用紙収納体を提供することができた。
【発明を実施するための最良の形態】
【００１２】
本発明を更に詳しく説明する。本発明の記録用紙収納体について図を用いて説明する。図１は本発明の記録用紙収納体に複数のシート状の記録用紙を収納し、閉蓋部で開口部を閉じた斜視図である。図１において、収納袋１は、両面接着テープ４が貼り付けられ、閉蓋部２で密封される。記録用紙Ｐは、開口部３から収納袋１に収納される。
【００１３】
本発明の記録用紙収納体に用いることのできる収納袋は、外面と内面の素材を変えた２層以上の積層体から材料を用いる。この場合外面と内面は両面接着テープに対する接着力が異なることが必要である。特に内面に対して外面の接着力が１．５〜３倍の素材を選択することが好ましい。このような積層体ならいずれのものも使用できる。例えば、本発明の記録用紙収納体に用いることのできる収納袋として、外面がポリプロピレン、内面が低密度ポリエチレンで構成されているものを挙げることができる。このようにすることにより、両面接着テープに対する接着力が異なり、閉蓋部に接着テープが着くことなく、何回でもスムースに収納したシート状の記録用紙を取り出すことができる。
【００１４】
本発明の収納袋において、両面テープとの接着力の関係からポリプロレンと低密度ポリエチレンの組み合わせが望ましい。低密度ポリエチレンの中でも、シール強度、衝撃強度及び耐ピンホール性が優れるため直鎖型低密度ポリエチレンが望ましい。
【００１５】
本発明の収納袋は、加工コストや袋の内容量に対して袋の大きさを小さくする観点から溶断製袋機を用いて加工することが望ましい。その場合、袋材の溶融温度が材料選択の問題となり、使用できる材料はポリプロピレンやポリエチレンやそれに順ずる溶融温度の材料に搾られる。
【００１６】
本発明に用いることのできる記録用紙としては、インクジェット記録用紙、紙などシート状の記録用紙ならいかなるものも適用できるが、インクジェット記録用紙が最も好ましい。
【００１７】
本発明で好ましく用いることのできるインクジェット記録用紙について説明する。
【００１８】
インクジェット記録用紙は支持体上に、インク受容層を１層以上設けたものである。
【００１９】
支持体は、吸水性支持体と非吸水性支持体のいずれも用いることが出来るが、非吸水性支持体がシワの発生が無く好ましい。
【００２０】
吸水性支持体としては特に天然パルプを主体とした紙支持体が代表的であるが合成パルプと天然パルプの混合物であってもよい。
【００２１】
非吸水性支持体としてはプラスチック樹脂フィルム支持体あるいは紙の両面をプラスチック樹脂フィルムで被覆したＲＣ（レジンコート）支持体が挙げられる。
【００２２】
プラスチック樹脂フィルム支持体としては、ポリエステルフィルム、ポリ塩化ビニルフィルム、ポリプロピレンフィルム、セルローストリアセテートフィルム、ポリスチレンフィルム等が挙げられる。
【００２３】
本発明で特に好ましい支持体は紙の両面をプラスチック樹脂で被覆したＲＣ支持体であり、最も好ましいのは、紙の両面をポリオレフィン樹脂で被覆したＲＣ支持体である。
【００２４】
次に、この紙基材の両面を被覆するポリオレフィン樹脂について説明する。
【００２５】
この目的で用いられるポリオレフィン樹脂としてはポリエチレン、ポリプロピレン、ポリイソブチレン、エチレンやプロピレンを主体とする共重合体などのポリオレフィン類が好ましいが、ポリエチレンが特に好ましい。
【００２６】
紙基材表面および裏面を被覆するポリエチレンは、低密度のポリエチレン（ＬＤＰＥ）、高密度のポリエチレン（ＨＤＰＥ）などが好ましい。
【００２７】
次に、支持体上に設けられるインク受容層について説明する。インク受容層は支持体の片面のみに設けても良いが、両面に設けても良い。両面に設ける場合のインク受容層は両面で同じものであっても良く異なっていても良い。
【００２８】
両面にインク受容層を有する記録用紙の場合、本発明の保護シートはいずれも樹脂加工された面が、上下の最外のインク受容層に接するように配置されることが好ましい。
【００２９】
インク受容層は、大きく膨潤層型インク受容層と空隙型インク受容層に分けられる。
【００３０】
膨潤型インク受容層は、主としてインク溶媒に対して膨潤性がある親水性ポリマーから構成される。空隙型インク受容層は、主として無機微粒子と少量の親水性ポリマーから構成される。
【００３１】
本発明に係るインクジェット記録用紙においては、インク受容層は空隙を有する多孔質皮膜である空隙型インク受容層が、インク吸収速度が速く画像のムラが少ないという観点、及び親水性ポリマーの使用量が比較的少ないためにカールが発生しにくいという観点から好ましい。
【００３２】
本発明に係るインクジェット記録用紙のインク受容層（記録面）の白地の色度としては、ＣＩＥＬ*ａ*ｂ*におけるａ*が０〜４、ｂ*が−４．５〜−１１の範囲にあることが好ましい。
【００３３】
更に本発明に係るインクジェット記録用紙は以下の特性を有していることが好ましい。
【００３４】
摩擦係数：表裏の動摩擦係数が０．２〜０．８
不透明度：８８〜９８％
本発明に係るインクジェット記録用紙は、水性染料インクや水性顔料インクによる記録に好ましく用いられるが油性顔料インクによる記録に対しても適用できる。
【実施例】
【００３５】
図１に示すＡ４サイズのインクジェット記録用紙を２０枚収納できる収納袋として、外面がポリプロピレン、内面が直鎖型低密度ポリエチレンの本発明の収納袋１０１と、外面、内面が共にポリプロピレンの比較の収納袋１０２及び外面、内面が共に直鎖型低密度ポリエチレンの比較の収納袋１０３を作製した。
【００３６】
それぞれの収納袋の閉蓋部は開いた状態でＡ４サイズのインクジェット記録用紙（コニカミノルタ  インクジェットペーパー：ＰｈｏｔｏｌｉｋｅＱＰ写真画質  インクジェット写真用紙  光沢  超厚手：コニカミノルタフォトイメージング（株）社製）を２０枚収納した。両面接着テープは恵比寿化成の両面接着テープ（ＥＢＩＳＵ  ＴＡＰＥ  ＃７００）を用いた。収納後、それぞれの収納袋の閉蓋部を閉じて、記録用紙収納体１０１〜１０３を得た。
【００３７】
尚、恵比寿化成の両面接着テープ（ＥＢＩＳＵ  ＴＡＰＥ  ＃７００）を、ポリプロピレンと低密度ポリエチレンに貼り付けた場合の接着力を剥離速度３００ｍｍ／分、１８０°剥離、で測定した際の数値は、ポリプロピレンは１０．２５Ｎ／２０ｍｍで、直鎖型低密度ポリエチレンは６．１５Ｎ／２０ｍｍであった。
【００３８】
それぞれの記録用紙収納体から１枚ずつ取り出しと密封を繰り返した結果、本発明の記録用紙収納体１０１は、最後の１枚までスムースに取り出すことができた。
【００３９】
一方、比較の記録用紙収納体１０２は、５枚取り出した時に両面接着テープの接着剤が閉蓋部に付着したため、メディア受像層の貼り付きが発生した。記録用紙収納体１０３は８枚取り出した時に両面接着テープが袋から剥れて閉蓋部に付着したため、以後の取り出しが困難になった。
【図面の簡単な説明】
【００４０】
【図１】本発明の記録用紙収納体に複数のシート状の記録用紙を収納し、閉蓋部で開口部を閉じた斜視図である。
【符号の説明】
【００４１】
１  収納袋
２  閉蓋部
３  開口部
４  両面接着テープ
Ｐ  シート状の記録用紙
【図１】
2007126198.tif 000003